(57)【要約】【課題】知育玩具としてのレジスター玩具のキー操作が楽しめるだけでなく、更にキー操作をする際のビジュアル的な楽しさが増すレジスター玩具及びレジスター玩具セットを提供することである。【解決手段】キーが配されたタッチパネル２を有するレジスター玩具１であって、前記タッチパネル２が、お菓子や果物などの玩具の絵柄が記された複数の絵柄キー２ａを有することを特徴とする。【選択図】　　図１
0003098367.tif 000002
【実用新案登録請求の範囲】
【請求項１】
キーが配された操作部を有するレジスター玩具であって、前記操作部が、お菓子や果物などの玩具の絵柄が記された複数の絵柄キーを有することを特徴とするレジスター玩具。
【請求項２】
前記レジスター玩具は、キー操作に応じて価格を表示することが可能な表示部を有し、前記絵柄キーのうち何れかが押された場合、該押された絵柄キーの絵柄に応じた価格が前記表示部に表示されることを特徴とする請求項１に記載のレジスター玩具。
【請求項３】
前記操作部は、前記絵柄キーの他に、数字や＋，−などの計算に用いる学術記号が記された所謂１０キーを有することを特徴とする請求項１又は２に記載のレジスター玩具。
【請求項４】
前記レジスター玩具は、キー操作に応じて種々の音を発する音源部を有することを特徴とする請求項１に記載のレジスター玩具。
【請求項５】
請求項１〜４のいずれか１項に記載のレジスター玩具と、前記絵柄キーに記されたお菓子や果物などの玩具の絵柄に応じた立体玩具と、を有することを特徴とするレジスター玩具セット。
【考案の詳細な説明】
【０００１】
【考案の属する技術分野】
本考案は、キーが配された操作部を有するレジスター玩具及びレジスター玩具セットに関するものである。
【０００２】
【従来の技術】
従来、子供の知育玩具としてのレジスター玩具は、例えば、数字や＋，−などの計算に用いる学術記号がかかれた所謂１０キーが装置上に描かれており、該１０キーを押すこと等によって遊具として楽しむもの、あるいは、前記１０キーが装置上に押下可能に配されており、該１０キーを適宜押すこと等によって遊具として楽しむもの、あるいは、電子計算機と同様に、押下された１０キーの情報に応じて計算を行い、その価格が表示されるものなどがある。
【０００３】
【考案が解決しようとする課題】
しかしながら、上記従来のレジスター玩具では、装置上に１０キーが記され、あるいは１０キーが配されているだけなので、該１０キーを操作することで数字を憶えたり、あるいは計算を行ったりすることはできるが、キー操作をする際のビジュアル的な楽しさはなかった。
【０００４】
そこで、本考案の目的は、知育玩具としてのレジスター玩具のキー操作が楽しめるだけでなく、更にキー操作をする際のビジュアル的な楽しさが増すレジスター玩具及びレジスター玩具セットを提供するものである。
【０００５】
【課題を解決するための手段】
上記目的を達成するための本考案の代表的な構成は、キーが配された操作部を有するレジスター玩具であって、前記操作部が、お菓子や果物などの玩具の絵柄が記された複数の絵柄キーを有することを特徴とする。
【０００６】
上記考案によれば、知育玩具としてのレジスター玩具のキー操作が楽しめるだけでなく、更にキー操作をする際のビジュアル的な楽しさが増す。
【０００７】
また、前記レジスター玩具が、キー操作に応じて価格を表示することが可能な表示部を有し、前記絵柄キーのうち何れかが押された場合、該押された絵柄キーの絵柄に応じた価格が前記表示部に表示されることにより、上記効果に加えて、キー操作をする際の視覚的な楽しさが更に増す。
【０００８】
また、前記操作部が、前記絵柄キーの他に、数字や＋，−などの計算に用いる学術記号が記された所謂１０キーを有することにより、知育玩具として更に多彩なキー操作が楽しめる。
【０００９】
更に、前記レジスター玩具が、キー操作に応じて種々の音を発する音源部を有することにより、キー操作をした際の聴覚的な楽しさも増す。
【００１０】
また、レジスター玩具セットとして、上記構成のレジスター玩具と、前記絵柄キーに記されたお菓子や果物などの玩具の絵柄に応じた立体玩具と、を有するレジスター玩具セットとすることで、前記立体玩具に応じた絵柄キーを操作する行為などを通して、子供の知能を啓発して認識の質的な向上を図ることができる。
【００１１】
【考案の実施の形態】
以下、本考案に係るレジスター玩具及びレジスタ玩具セットの実施の形態を図面に基づいて説明する。図１は本考案に係るレジスター玩具の一例を示す斜視図である。図２は本考案に係るレジスター玩具における操作部一例を示す平面図である。図３は本考案に係るレジスター玩具セットの一例を示す斜視図である。
【００１２】
図１及び図２に示すように、本考案に係るレジスター玩具１は、キーが配された操作部を有するレジスター玩具であって、前記操作部としてのタッチパネル２が、お菓子や果物などの玩具の絵柄が記された複数の絵柄キー２ａを有している。
【００１３】
このように構成することによって、知育玩具としてのレジスター玩具のキー操作が楽しめるだけでなく、更にキー操作をする際のビジュアル的な楽しさが増す。
【００１４】
更に、前記レジスター玩具１は、キー操作に応じて価格を表示することが可能な表示部３を有し、前記絵柄キー２ａのうち何れかが押された場合、該押された絵柄キー２ａの絵柄に応じた価格が前記表示部３に表示されるように構成されている。
【００１５】
このように構成することにより、上述した効果に加えて、キー操作をする際の視覚的な楽しさが更に増し、知育玩具としてのレジスター玩具を操作する楽しさが更に増す。
【００１６】
更には、図３に示すように、前述したレジスター玩具１と、前記絵柄キー２ａに記されたお菓子や果物などの玩具の絵柄に応じた立体玩具６と、を有するレジスター玩具セットとすることで、子供が前記レジスター玩具１を操作するにあたって、種々の立体玩具６を用いて、前記絵柄キー２ａの中から立体玩具６に応じた絵柄のキーを操作する行為を楽しむことができ、該行為を通して子供の知能を啓発して認識の質的な向上を図ることができる。なお、図３では立体玩具を３種類例示しているが、立体玩具の種類や個数はこれに限定されるものではない。
【００１７】
また、本実施形態では、前記タッチパネル２が、お菓子や果物などの玩具の絵柄が記された絵柄キー２ａだけでなく、更に数字や＋、−などの計算に用いる学術記号が記された所謂１０キー２ｂを有する構成となっている。これにより、電子計算機と同様に計算が行え、知育玩具として更に多彩なキー操作が楽しめる。
【００１８】
また、前記レジスター玩具１は、コインや紙幣を出納するための収納部４が、レジスター本体１に対して引き出し収納可能に設けられている。本実施形態に係るレジスター玩具１においては、前記収納部４が、レジスター本体１の手前側に配されたＯＰＥＮキー５を押下することによって係止状態が解除され、バネ等の付勢手段により手前側に自動的に押し出されるように構成されている。なお、本実施形態ではＯＰＥＮキー５を用いて収納部４が自動的に押し出される構成を例示しているが、これに限定されるものではなく、例えばＯＰＥＮキー５を用いずに手動で収納部４を引き出し収納する構成としても良い。
【００１９】
更に、前記レジスター玩具１は、図示していないが、キー操作に応じて種々の音を発する音源部を有している。これにより、キー操作をした際の聴覚的な楽しさも増す。
【００２０】
なお、前述した実施形態では、操作部として、お菓子や果物などの玩具の絵柄が記された絵柄キー２ａと、数字などが記された所謂１０キー２ｂを有するタッチパネル２を例示したが、これに限定されるものではなく、少なくともお菓子や果物などの玩具の絵柄が記された絵柄キー２ａを有する構成であれば、その他のキー構成の操作部であっても良い。
【００２１】
また、タッチパネル２上の絵柄キー２ａは、例えば、各キー上の絵柄を貼着・剥離するなどして、各キー上の絵柄が交換可能な構成であっても良し、あるいは、複数の絵柄が記されたシート状のものをタッチパネル２上に貼着・剥離するなどして、複数のキー上の絵柄が一体に交換可能な構成であっても良い。このように構成することで、操作者の好みに応じて絵柄キーを適宜交換することができ、種々の絵柄を操作者の好みに応じて楽しむことができ、レジスター玩具としての楽しみが更に増す。
【００２２】
また、前述した実施形態では、操作部としてタッチパネル２を例示したが、これに限定されるものではなく、お菓子や果物などの玩具の絵柄が記された絵柄キーを有する構成であれば、その他の操作部であっても良い。
【００２３】
【考案の効果】
以上説明したように、本考案によれば、キーが配された操作部を有するレジスター玩具であって、前記操作部が、お菓子や果物などの玩具の絵柄が記された複数の絵柄キーを有することにより、知育玩具としてのレジスター玩具のキー操作が楽しめるだけでなく、更にキー操作をする際のビジュアル的な楽しさが増す。
【００２４】
また、前記レジスター玩具が、キー操作に応じて価格を表示することが可能な表示部を有し、前記絵柄キーのうち何れかが押された場合、該押された絵柄キーの絵柄に応じた価格が前記表示部に表示されることにより、上記効果に加えて、キー操作をする際の視覚的な楽しさが更に増す。
【００２５】
また、前記操作部が、前記絵柄キーの他に、数字や＋，−などの計算に用いる学術記号が記された所謂１０キーを有することにより、知育玩具として更に多彩なキー操作が楽しめる。
【００２６】
更に、前記レジスター玩具が、キー操作に応じて種々の音を発する音源部を有することにより、キー操作をした際の聴覚的な楽しさも増す。
【００２７】
また、レジスター玩具セットとして、上記構成のレジスター玩具と、前記絵柄キーに記されたお菓子や果物などの玩具の絵柄に応じた立体玩具と、を有するレジスター玩具セットとすることで、前記立体玩具に応じた絵柄キーを操作する行為などを通して、子供の知能を啓発して認識の質的な向上を図ることができる。
【図面の簡単な説明】
【図１】本考案に係るレジスター玩具の一例を示す斜視図である。
【図２】本考案に係るレジスター玩具におけるタッチパネル一例を示す平面図である。
【図３】本考案に係るレジスター玩具セットの一例を示す斜視図である。
【符号の説明】
１　　　　…レジスター玩具
２　　　　…タッチパネル
２ａ　　…絵柄キー
２ｂ　　…１０キー
３　　　　…表示部
４　　　　…収納部
５　　　　…ＯＰＥＮキー
６　　　　…立体玩具
【図１】
0003098367.tif 000003
【図２】
0003098367.tif 000004
【図３】
0003098367.tif 000005